(57)【要約】【課題】  通信回線の利用効率が向上する遠隔編集方法、遠隔編集システム、編集サーバ及び遠隔編集端末を提供する。【解決手段】  編集サーバがオリジナルコンテンツデータを入力する段階と、前記編集サーバが前記オリジナルコンテンツデータのコピーを不可逆圧縮して圧縮コンテンツデータを生成する段階と、前記編集サーバが前記圧縮コンテンツデータを遠隔編集端末に送信する段階と、前記遠隔編集端末が前記編集サーバから受信した前記圧縮コンテンツデータを用いて前記オリジナルコンテンツデータの編集パラメータを設定する段階と、前記遠隔編集端末が前記編集パラメータを前記編集サーバに送信する段階と、前記編集サーバが前記遠隔編集端末から受信した前記編集パラメータを用いて前記オリジナルコンテンツデータから編集済コンテンツデータを生成する段階と、前記編集サーバが前記編集済コンテンツデータを出力する段階と、を含む遠隔編集方法。【選択図】  図１
2006340130.tif 000002
【特許請求の範囲】
【請求項１】
編集サーバがオリジナルコンテンツデータを入力する段階と、
前記編集サーバが前記オリジナルコンテンツデータのコピーを不可逆圧縮して圧縮コンテンツデータを生成する段階と、
前記編集サーバが前記圧縮コンテンツデータを遠隔編集端末に送信する段階と、
前記遠隔編集端末が前記編集サーバから受信した前記圧縮コンテンツデータを用いて前記オリジナルコンテンツデータの編集パラメータを設定する段階と、
前記遠隔編集端末が前記編集パラメータを前記編集サーバに送信する段階と、
前記編集サーバが前記遠隔編集端末から受信した前記編集パラメータを用いて前記オリジナルコンテンツデータから編集済コンテンツデータを生成する段階と、
前記編集サーバが前記編集済コンテンツデータを出力する段階と、
を含む遠隔編集方法。
【請求項２】
前記圧縮コンテンツデータを送信する段階では、前記編集サーバが複数の前記遠隔編集端末に前記圧縮コンテンツデータを送信し、
前記編集パラメータを設定する段階では、複数の前記遠隔編集端末がそれぞれ同一の前記オリジナルコンテンツデータの互いに異なるセクションに前記編集パラメータを設定し、
前記編集済コンテンツデータを生成する段階では、前記編集サーバが複数の前記遠隔編集端末から受信した前記編集パラメータを用いて１つの前記オリジナルコンテンツデータから１つの前記編集済コンテンツデータを生成する請求項１に記載の遠隔編集方法。
【請求項３】
前記圧縮コンテンツデータを送信する段階では、前記編集サーバが複数の前記遠隔編集端末に前記圧縮コンテンツデータを送信し、
前記編集パラメータを設定する段階では、複数の前記遠隔編集端末がそれぞれ同一の前記オリジナルコンテンツデータに前記編集パラメータを設定し、
前記編集済コンテンツデータを生成する段階では、前記編集サーバが複数の前記遠隔編集端末から受信した前記編集パラメータ毎に１つの前記オリジナルコンテンツデータから互いに異なる複数の前記編集済コンテンツデータを生成し、
前記編集済コンテンツデータを出力する段階では、前記編集パラメータ毎に前記編集済コンテンツデータを出力する請求項１に記載の遠隔編集方法。
【請求項４】
前記オリジナルコンテンツデータは、時間属性を有する複数チャネルのデータを有し、
前記編集パラメータは、複数の前記チャネルのデータの合成に用いるパラメータである請求項１〜３のいずれか一項に記載の遠隔編集方法。
【請求項５】
編集サーバと遠隔編集端末とを備える遠隔編集システムであって、
前記編集サーバは、
オリジナルコンテンツデータを入力する手段と、
前記オリジナルコンテンツデータのコピーを不可逆圧縮して圧縮コンテンツデータを生成する手段と、
前記圧縮コンテンツデータを前記遠隔編集端末に送信する手段と、
前記遠隔編集端末から受信した編集パラメータを用いて前記オリジナルコンテンツデータから編集済コンテンツデータを生成する手段と、
前記編集済コンテンツデータを出力する手段と、を備え、
前記遠隔編集端末は、
前記編集サーバから受信した前記圧縮コンテンツを用いて前記オリジナルコンテンツデータの編集パラメータを設定する手段と、
前記編集パラメータを前記編集サーバに送信する手段と、を備える遠隔編集システム。
【請求項６】
オリジナルコンテンツデータを入力する手段と、
前記オリジナルコンテンツデータのコピーを不可逆圧縮して圧縮コンテンツデータを生成する手段と、
前記圧縮コンテンツデータを遠隔編集端末に送信する手段と、
前記遠隔編集端末から受信した編集パラメータを用いて、送信元の前記遠隔編集端末に送信した前記圧縮コンテンツデータに対応する前記オリジナルコンテンツデータから編集済コンテンツデータを生成する手段と、
前記編集済コンテンツデータを出力する手段と、
を備える編集サーバ。
【請求項７】
オリジナルコンテンツのコピーを不可逆圧縮した圧縮コンテンツデータを編集サーバから受信する手段と、
前記圧縮コンテンツデータを用いて、前記オリジナルコンテンツデータの編集パラメータを設定する手段と、
前記編集パラメータを前記編集サーバに送信する手段と、
を備える遠隔編集端末。
【発明の詳細な説明】
【技術分野】
【０００１】
本発明は、ＡＶデータ等を編集するための遠隔編集方法、遠隔編集システム、編集サーバ及び遠隔編集端末に関する。
【背景技術】
【０００２】
特許文献１には、コンサート会場等で収録された映像や楽音等のＡＶデータに対して遠隔地のスタジオから編集作業を施し、視聴者の各端末に配信する技術が開示されている。最終的に視聴者に配信される映像や楽音等のデータは高品質であることが望ましいが、編集段階では、送受信されるデータは必ずしも高品質である必要はなく、必要十分な程度にデータ量を低減して通信回線の利用効率を向上させることが望ましい。
【０００３】
【特許文献１】特開２００４−３２８３７７号公報
【発明の開示】
【発明が解決しようとする課題】
【０００４】
本発明は、通信回線の利用効率が向上する遠隔編集方法、遠隔編集システム、編集サーバ及び遠隔編集端末を提供することを目的とする。
【課題を解決するための手段】
【０００５】
（１）上記目的を達成するための遠隔編集方法は、編集サーバがオリジナルコンテンツデータを入力する段階と、前記編集サーバが前記オリジナルコンテンツデータのコピーを不可逆圧縮して圧縮コンテンツデータを生成する段階と、前記編集サーバが前記圧縮コンテンツデータを遠隔編集端末に送信する段階と、前記遠隔編集端末が前記編集サーバから受信した前記圧縮コンテンツデータを用いて前記オリジナルコンテンツデータの編集パラメータを設定する段階と、前記遠隔編集端末が前記編集パラメータを前記編集サーバに送信する段階と、前記編集サーバが前記遠隔編集端末から受信した前記編集パラメータを用いて前記オリジナルコンテンツデータから編集済コンテンツデータを生成する段階と、前記編集サーバが前記編集済コンテンツデータを出力する段階と、を含む。
オリジナルコンテンツデータのコピーを不可逆圧縮した圧縮コンテンツデータを編集サーバから遠隔編集端末に送信することにより、編集サーバから遠隔編集端末に送信されるデータ量を低減することができる。圧縮コンテンツデータを用いて設定されたオリジナルコンテンツデータの編集パラメータを遠隔編集端末から編集サーバに送信することにより、遠隔編集端末から編集サーバに送信されるデータ量を低減することができる。編集サーバが遠隔編集端末から受信した編集パラメータを用いてオリジナルコンテンツデータから編集済コンテンツデータを生成することにより、編集サーバは高品質の編集済コンテンツデータを出力することができる。
【０００６】
（２）前記圧縮コンテンツデータを送信する段階では、前記編集サーバが複数の前記遠隔編集端末に前記圧縮コンテンツデータを送信してもよい。前記編集パラメータを設定する段階では、複数の前記遠隔編集端末がそれぞれ同一の前記オリジナルコンテンツデータの互いに異なるセクションに前記編集パラメータを設定してもよい。前記編集済コンテンツデータを生成する段階では、前記編集サーバが複数の前記遠隔編集端末から受信した前記編集パラメータを用いて１つの前記オリジナルコンテンツデータから１つの前記編集済コンテンツデータを生成してもよい。
複数の遠隔編集端末が編集サーバから受信した同一の圧縮コンテンツデータの互いに異なるセクションに編集パラメータを設定し、複数の遠隔編集端末から編集サーバが受信した編集パラメータを用いて１つのオリジナルコンテンツデータから１つの編集済コンテンツデータを生成することにより、オリジナルコンテンツデータの編集作業を複数の遠隔編集端末で平行して進めることができる。
【０００７】
（３）前記圧縮コンテンツデータを送信する段階では、前記編集サーバが複数の前記遠隔編集端末に前記圧縮コンテンツデータを送信してもよい。前記編集パラメータを設定する段階では、複数の前記遠隔編集端末がそれぞれ同一の前記オリジナルコンテンツデータに前記編集パラメータを設定してもよい。前記編集済コンテンツデータを生成する段階では、前記編集サーバが複数の前記遠隔編集端末から受信した前記編集パラメータ毎に１つのオリジナルコンテンツデータから互いに異なる複数の前記編集済コンテンツデータを生成してもよい。前記編集済コンテンツデータを出力する段階では、前記編集パラメータ毎に前記編集済コンテンツデータを出力してもよい。
複数の遠隔編集端末が編集サーバから受信した同一の圧縮コンテンツデータに編集パラメータを設定し、複数の遠隔編集端末から編集サーバが受信した編集パラメータ毎に１つのオリジナルコンテンツデータから互いに異なる複数の編集済コンテンツデータを生成することにより、サーバは１つのオリジナルコンテンツデータから編集パラメータ毎に互いに異なる編集済コンテンツデータを出力することができる。
【０００８】
（４）前記オリジナルコンテンツデータは、時間属性を有する複数チャネルのデータを有してもよい。前記編集パラメータは、複数の前記チャネルのデータの合成に用いるパラメータであってもよい。
【０００９】
（５）上記目的を達成する遠隔編集システムは、編集サーバと遠隔編集端末とを備え、前記編集サーバは、オリジナルコンテンツデータを入力する手段と、前記オリジナルコンテンツデータのコピーを不可逆圧縮して圧縮コンテンツデータを生成する手段と、前記圧縮コンテンツデータを前記遠隔編集端末に送信する手段と、前記遠隔編集端末から受信した編集パラメータを用いて前記オリジナルコンテンツデータから編集済コンテンツデータを生成する手段と、前記編集済コンテンツデータを出力する手段と、を備え、前記遠隔編集端末は、前記編集サーバから受信した前記圧縮コンテンツを用いて前記オリジナルコンテンツデータの編集パラメータを設定する手段と、前記編集パラメータを前記編集サーバに送信する手段と、を備える。
オリジナルコンテンツデータのコピーを不可逆圧縮した圧縮コンテンツデータを編集サーバから遠隔編集端末に送信することにより、編集サーバから遠隔編集端末に送信されるデータ量を低減することができる。圧縮コンテンツデータを用いて設定されたオリジナルコンテンツデータの編集パラメータを遠隔編集端末から編集サーバに送信することにより、遠隔編集端末から編集サーバに送信されるデータ量を低減することができる。編集サーバが遠隔編集端末から受信した編集パラメータを用いてオリジナルコンテンツデータから編集済コンテンツデータを生成することにより、サーバは高品質の編集済コンテンツデータを出力することができる。
【００１０】
（６）上記目的を達成する編集サーバは、オリジナルコンテンツデータを入力する手段と、前記オリジナルコンテンツデータのコピーを不可逆圧縮して圧縮コンテンツデータを生成する手段と、前記圧縮コンテンツデータを遠隔編集端末に送信する手段と、前記遠隔編集端末から受信した編集パラメータを用いて、送信元の前記遠隔編集端末に送信した前記圧縮コンテンツデータに対応する前記オリジナルコンテンツデータから編集済コンテンツデータを生成する手段と、前記編集済コンテンツデータを出力する手段と、を備える。
オリジナルコンテンツデータのコピーを不可逆圧縮した圧縮コンテンツデータを編集サーバから遠隔編集端末に送信することにより、編集サーバから遠隔編集端末に送信されるデータ量を低減することができる。編集サーバが遠隔編集端末から受信した編集パラメータを用いてオリジナルコンテンツデータから編集済コンテンツデータを生成することにより、遠隔編集端末から編集サーバに送信されるデータ量を低減することができ、サーバは高品質の編集済コンテンツデータを出力することができる。
【００１１】
（７）上記目的を達成する遠隔編集端末は、オリジナルコンテンツデータのコピーを不可逆圧縮した圧縮コンテンツデータを編集サーバから受信する手段と、前記圧縮コンテンツデータを用いて、前記オリジナルコンテンツデータの編集パラメータを設定する手段と、前記編集パラメータを前記編集サーバに送信する手段と、を備える。
圧縮コンテンツデータを用いて設定されたオリジナルコンテンツデータの編集パラメータを遠隔編集端末から編集サーバに送信することにより、編集サーバから遠隔編集端末に送信されるデータ量と、遠隔編集端末から編集サーバに送信されるデータ量とを低減することができる。
【００１２】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は、プログラムの発明としても、そのプログラムを記録した記録媒体の発明としても特定することができる。
【発明を実施するための最良の形態】
【００１３】
以下、複数の実施例に基づいて本発明の実施の形態を説明する。各実施例において同一の符号が付された構成要素は、その符号が付された他の実施例の構成要素と対応する。
（第一実施例）
【００１４】
（１）構成
図１は本発明の第一実施例による遠隔編集システム５の全体構成を示す模式図である。遠隔編集システム５は、例えばスタジオ等で録音されたオリジナルの楽音データを遠隔地にいる編集作業者が編集する環境を実現するコンピュータシステムであって、インターネット等の通信ネットワーク４を介して相互に通信可能に接続されている編集サーバ１と遠隔編集端末２で構成される。視聴者端末３は、通信ネットワーク４を介して、遠隔編集システム５の編集サーバ１と相互に通信可能に接続される。
【００１５】
図２は編集サーバ１のハードウェア構成を示すブロック図である。編集サーバ１は編集プログラムを実行することによりＡＶ信号処理、デコード、エンコード等を実行するコンピュータである。ＨＤＤ（Hard Disk Device）１０には編集プログラムが格納されている。編集プログラムは遠隔地の図示しない別のサーバから通信ネットワーク４を経由してＨＤＤ１０に格納することもできる。ＨＤＤ１０に格納されているプログラムやデータはＣＰＵ１７によって読み出され、ＲＡＭ１５に転送される。ＣＰＵ１７は、ＲＯＭ１６やＨＤＤ１０に格納されている各種のプログラムを実行して編集サーバ１の各部を制御する。ＲＯＭ１６は、起動プログラムを格納している不揮発性メモリである。ＲＡＭ１５は、プログラムや処理対象データ等が一時的に格納される揮発性メモリである。通信部１８は、通信ネットワーク４を経由して接続された遠隔編集端末２や視聴者端末３等とのデータの送受信処理を制御する。外部ストレージインターフェース１２は、図示しないリムーバブルメモリ等の外部記録媒体に接続される。外部記録媒体に格納されたデータは外部ストレージインターフェース１２によって編集サーバ１に入力され、編集サーバ１内のデータは外部ストレージインターフェース１２によって外部記録媒体に出力される。
【００１６】
図３は遠隔編集端末２のハードウェア構成を示すブロック図である。遠隔編集端末２は遠隔編集プログラムを実行することにより遠隔編集処理に必要なＡＶ信号処理、デコード等を実行するコンピュータである。ＣＰＵ３３は、ＲＯＭ３２やＨＤＤ２０に格納されているプログラムを実行して遠隔編集端末２の各部を制御する。ＲＯＭ３２は、起動プログラムを格納している不揮発性メモリである。ＨＤＤ２０には遠隔編集プログラムが格納されている。遠隔編集プログラムは遠隔地の図示しない別のサーバから通信ネットワーク４を経由してＨＤＤ２０に格納することもできる。ＲＡＭ３１は、各種のプログラムや処理対象データが一時的に格納される揮発性メモリである。通信部２６は、通信ネットワーク４を経由して接続された編集サーバ１等とのデータの送受信処理を制御する。ＬＣＤ等のディスプレイ２８は表示コントローラ２７によって制御され、遠隔編集のための操作画面を表示する。操作部３０はキーボードやマウス等によって構成される。サウンドコントローラ２４は、Ｄ／Ａ変換器やアンプ等を備え、音声信号をスピーカ２５に出力する。
【００１７】
（２）作動
図４は第一実施例の遠隔編集の処理の流れを示すシーケンス図である。
はじめに編集サーバ１は、スタジオ等で録音されたオリジナルコンテンツデータとしてのオリジナル楽音データを入力し、ＨＤＤ１０に格納する（ステップＳ１００）。具体的には、ＣＰＵ１７は図示しないリムーバブルメモリやハードディスクに格納されているオリジナル楽音データを外部ストレージインターフェース１２から入力し、ＨＤＤ１０に格納する。編集サーバ１はオリジナル楽音データを、録音によって入力してもよいし、通信ネットワーク４を経由して入力してもよい。このとき、外部ストレージインターフェース１２、図示しないマイク、通信部１８等は「オリジナルコンテンツデータを入力する手段」として機能する。オリジナル楽音データは、例えばボーカル、ギター等のトラック毎の高ビットレートのＰＣＭデータで構成される。
【００１８】
ステップＳ１０２では、編集サーバ１は、ＨＤＤ１０に格納されているオリジナル楽音データのコピーを生成し、コピーされたオリジナル楽音データの各トラックを不可逆圧縮し、圧縮コンテンツデータとして低ビットレートの圧縮楽音データを生成する。具体的には例えばＣＰＵ１７はＨＤＤ１０からＲＡＭ１５に読み込んだオリジナル楽音データのコピーをＭＰ３形式に変換する。このときＣＰＵ１７は「圧縮コンテンツデータを生成する手段」として機能する。尚、専用のＤＳＰでオリジナル楽音データを圧縮してもよい。不可逆圧縮形式はＷＭＡ形式やＡＡＣ形式等であってもよい。圧縮後のビットレートは任意であるが例えば１２８ｋｂｐｓ、６４ｋｂｐｓとする。
【００１９】
ステップＳ１０４では、編集サーバ１は、生成した圧縮楽音データを遠隔編集端末２に送信する。具体的には例えば、遠隔編集端末２から送信される圧縮楽音データの送信要求に応じてＣＰＵ１７は通信部１８を介して遠隔編集端末２に圧縮楽音データを送信する。このとき、編集サーバ１のＣＰＵ１７及び通信部１８は「圧縮コンテンツデータを遠隔編集端末に送信する手段」として機能し、遠隔編集端末２のＣＰＵ３３及び通信部２６は「圧縮コンテンツデータを編集サーバから受信する手段」として機能する。オリジナル楽音データのコピーを不可逆圧縮した圧縮楽音データを編集サーバ１から遠隔編集端末２に送信することにより、編集サーバ１から遠隔編集端末２に送信されるデータ量を低減することができる。
【００２０】
編集サーバ１から圧縮楽音データを受信した遠隔編集端末２は、遠隔編集アプリケーションを実行してオリジナル楽音データの編集パラメータを設定する（ステップＳ１０６）。具体的には例えば、ＣＰＵ３３が圧縮楽音データをデコードしてＰＣＭ形式の楽音データを生成し、ディスプレイ２８に図５（Ａ）に示すような編集操作画面１００を表示する。編集操作画面１００には、編集作業者の指示を遠隔編集端末２に入力するためのアイコンや楽音データの波形などが表示される。例えば、編集作業者がマウスやキーボードを用いて編集したい区間を波形表示領域１０６から選択することにより、編集対象区間を設定する指示が遠隔編集端末２に入力される。また例えば、編集作業者がエフェクトメニュー１０８からリバーブ、ピッチ補正、タイムストレッチ、ディレイ等の項目を選択すると、遠隔編集端末２は各項目毎に詳細な設定指示を入力するための詳細設定ウィンドウを表示する。また例えば編集作業者がパンコントロールスライダ１０２やボリュームコントロールスライダ１０４等のアイコンを操作すると、遠隔編集端末２はトラック毎の音像の定位位置やトラック毎のボリュームの設定指示を入力する。ＣＰＵ３３は、入力された設定指示に応じて、オリジナル楽音データの編集パラメータを設定する。このとき、ＣＰＵ３３は、「編集パラメータを設定する手段」として機能する。編集パラメータは、エフェクトメニュー１０８の項目に対応する編集項目、波形表示領域１０６の選択区間に対応する編集区間の開始時間と終了時間、編集項目毎の内容（例えば音像定位位置）を示す値を有する。編集パラメータは、トラック毎に設定することも、全体に対して設定することもできる。トラック毎に設定される編集パラメータは、トラック毎の編集処理に用いられ、全体に設定される編集パラメータは、ミキシング処理以後の編集処理に用いられる。例えば図５（Ｂ）の１１２に示す編集パラメータ「pitch(0:00:01.00,0:00:05.00,+2);」は、トラック１について曲先頭から１秒目の位置から５秒目までの区間の音程を＋２レベル補正することを意味する。編集作業者が再生アイコン１１０をマウスでクリックすると、ＣＰＵ３３は編集パラメータに対応するオーディオ信号処理を低ビットレートの楽音データに対して施し、その結果生成されるデータをサウンドコントローラ２４に出力し、サウンドコントローラ２４がそのデータに基づいてスピーカ２５を駆動する。したがって、編集サーバ１が編集パラメータに基づいてオリジナル楽音データを編集すると得られる楽音を、編集作業者は低い音質で事前に確認することができる。
【００２１】
ステップＳ１０８では、遠隔編集端末２は、上述のように設定した編集パラメータを編集サーバ１に送信する。具体的には遠隔編集端末２の通信部２６から通信ネットワーク４を介して編集サーバ１の通信部１８に編集パラメータが送信される。このときＣＰＵ３３及び通信部２６は「編集パラメータを編集サーバに送信する手段」として機能する。編集パラメータのデータサイズは楽音データのデータサイズに比べて極めて小さいため、編集パラメータを遠隔編集端末２から編集サーバ１に送信することにより、遠隔編集端末２から編集サーバ１に送信されるデータ量を低減することができる。
【００２２】
ステップＳ１１０では、編集サーバ１は、遠隔編集端末２から受信した編集パラメータを用いて、高ビットレートのオリジナル楽音データに対する編集処理を実行し、高品質の編集済み楽音データを生成する。具体的にはＣＰＵ１７はＨＤＤ１０から読み込んでＲＡＭ１５に格納した高ビットレートのオリジナル楽音データに対し、編集パラメータに対応するオーディオ信号処理を実行し、例えばＬＲ２チャンネルＰＣＭ形式の編集済楽音データを生成する。トラック毎に設定されている編集パラメータはトラック毎のオーディオ信号処理に用いられ、全体に設定されている編集パラメータはミキシング処理後のオーディオ信号処理に用いられる。例えば、開始時間と終了時間で指定されているトラックのある区間に対してタイムストレッチが設定されている場合、ピッチ（音高）を変えずにその区間の再生期間が指定されている再生期間に変化するように、その区間の波形を変形させる処理をＣＰＵ１７が実行する。また例えば、トラックのある区間に対してパンが設定されている場合、ミキシング処理時にＬＲチャネルにディレイ処理を実行する。このとき、ＣＰＵ１７は「編集済みコンテンツデータを生成する手段」として機能する。尚、このような編集処理はＤＳＰ等の専用回路によって実行してもよい。遠隔編集端末２から受信した編集パラメータを用いてオリジナル楽音データから編集済み楽音データを生成することにより、編集サーバ１は高品質の編集済み楽音データを出力できる。
【００２３】
ステップＳ１１２では、編集サーバ１は、編集済み楽音データを通信ネットワーク４を介して視聴者端末３に送信したり、図示しないサウンドシステムを経由してスピーカに転送したり、ＣＤ等のリムーバブルメモリに書き込む等して出力する。具体的には例えば、ＣＰＵ１７及び通信部１８が視聴者端末３から送信される視聴要求に応じて編集済み楽音データを通信回線に送出する。このとき、通信部１８、外部ストレージインターフェース１２、図示しないサウンドシステム及びスピーカ等は「編集済みコンテンツデータを出力する手段」として機能する。
【００２４】
（第二実施例）
第二実施例では、編集サーバ１と複数の遠隔編集端末２間で一つの楽音データを並行して編集する実施形態を説明する。図６は本発明の第二実施例に係る遠隔編集の処理の流れを示すシーケンス図である。以下の説明では、図６に示すように、遠隔編集端末２Ａ、２Ｂで一つのオリジナル楽音データに対する編集パラメータを設定する実施形態を説明する。
はじめに編集サーバ１はＨＤＤ１０等に格納されているオリジナル楽音データのコピーを不可逆圧縮し圧縮楽音データを生成する（ステップＳ２００）。具体的には例えば、ＬＲ２チャンネルを有する高ビットレートのオリジナル楽音データのコピーを低ビットレートの圧縮楽音データを生成するＭＰ３形式に変換する。
【００２５】
ステップＳ２０２では、編集サーバ１は、圧縮楽音データを遠隔編集端末２Ａに送信する。具体的には例えば、ＣＰＵ１７は、遠隔編集端末２Ａからの送信要求に応じて、圧縮楽音データを通信部１８を介して遠隔編集端末２Ａに送信する。
【００２６】
ステップＳ２０４では、編集サーバ１はステップＳ２０２と同様に、圧縮楽音データを遠隔編集端末２Ｂに送信する。
【００２７】
ステップＳ２０６では、遠隔編集端末２Ａは、遠隔編集アプリケーションを実行してオリジナル楽音データの特定のセクションに編集パラメータを設定する。具体的には、編集サーバ１から受信した圧縮楽音データを遠隔編集プログラムを実行しているＣＰＵ３３がデコードしてＰＣＭ形式の楽音データを生成し、編集操作画面１００をディスプレイ２８に表示する。ＣＰＵ３３は、編集作業者によって入力されたボリュームやピッチ補正等の設定指示に応じて、オリジナル楽音データの特定のセクションに編集パラメータを設定する。特定のセクションとは、例えば、曲の前半と後半や、歌声のトラックと伴奏のトラック等を意味する。
【００２８】
ステップＳ２１０では、遠隔編集端末２ＢもステップＳ２０６と同様にオリジナル楽音データの特定のセクションに編集パラメータを設定する。
【００２９】
ステップＳ２０８では、遠隔編集端末２Ａは設定した編集パラメータを編集サーバ１に送信する。
【００３０】
ステップＳ２１２では、遠隔編集端末２ＢもステップＳ２０８と同様に、設定した編集パラメータを編集サーバ１に送信する。
【００３１】
ステップＳ２１４では、編集サーバ１は、遠隔編集端末２Ａから受信した特定のセクションの編集パラメータと遠隔編集端末２Ｂから受信した特定のセクションの編集パラメータとを用いて、オリジナル楽音データから編集済み楽音データを生成する。具体的には、ＣＰＵ１７は、ＨＤＤ１０からＲＡＭ１５にオリジナル楽音データを読み込み、遠隔編集端末２Ａから編集パラメータを受信したセクションのオリジナル楽音データに対しては遠隔編集端末２Ａから受信した編集パラメータを用いてオーディオ信号処理を実行し、遠隔編集端末２Ｂから編集パラメータを受信したセクションのオリジナル楽音データに対しては遠隔編集端末２Ｂから受信した編集パラメータを用いてオーディオ信号処理を実行し、１つのＰＣＭ形式の編集済み楽音データを生成する。
【００３２】
以上のように、複数の遠隔編集端末２が同一の楽音データの互いに異なるセクションに編集パラメータを設定し、編集サーバ１が複数の遠隔編集端末２から受信した編集パラメータを用いて１つのオリジナル楽音データから１つの編集済楽音データを生成することにより、オリジナル楽音データの編集作業を複数の遠隔編集端末で平行して進めることができる。また編集サーバ１が受信済みの編集パラメータとともに圧縮コンテンツデータを遠隔編集端末２に送信することによって、編集パラメータを使いまわすことができ、編集作業の効率が向上する。
【００３３】
（第三実施例）
第三実施例では、編集サーバ１と複数の遠隔編集端末２間で一つのオリジナル楽音データから互いに異なる複数の編集済み楽音データを生成する実施形態について説明する。
図７は本発明の第三実施例に係る遠隔編集の処理の流れを示すシーケンス図である。以下の説明では、図７に示すように、２台の遠隔編集端末２Ａ、２Ｂで一つのオリジナル楽音データに対する編集パラメータを設定する実施形態を説明する。
はじめに、編集サーバ１はオリジナル楽音データから圧縮楽音データを生成し、１つの圧縮楽音データを遠隔編集端末２Ａ及び２Ｂに送信する（ステップＳ３００、３０２）。
【００３４】
ステップＳ３０４では、遠隔編集端末２Ａは、受信した圧縮楽音データを用いてオリジナル楽音データの全体にわたって編集パラメータＡを設定し、編集サーバ１に送信する。
【００３５】
ステップＳ３０６では、遠隔編集端末２ＢはステップＳ３０４と同様に、受信した圧縮楽音データを用いてオリジナル楽音データの全体にわたって編集パラメータＢを設定し、編集サーバ１に送信する。
【００３６】
ステップＳ３０８では、編集サーバ１は、遠隔編集端末２Ａから受信した編集パラメータＡを用いてオリジナル楽音データから編集済み楽音データＡを、遠隔編集端末２Ｂから受信した編集パラメータＢを用いてオリジナル楽音データから編集済み楽音データＢを、それぞれ生成する。
【００３７】
このように、複数の遠隔編集端末２が編集サーバ１から受信した同一の圧縮楽音データを用いて編集パラメータを設定し、複数の遠隔編集端末２から編集サーバ１が受信した編集パラメータ毎に１つのオリジナル楽音データから互いに異なる複数の編集済楽音データを生成することにより、編集サーバ１は１つのオリジナル楽音データから編集パラメータ毎に互いに異なる複数の編集済楽音データを出力することができる。
【００３８】
さらに、上述のようにして生成された複数の編集済み楽音データに対して、どの編集パラメータによるアレンジに人気があるかを競うオーサリングコンテスト等を以下のように実施してもよい。
ステップＳ３１０では、編集サーバ１は、編集済み楽音データＡのコピー及び編集済み楽音データＢのコピーをそれぞれ圧縮して試聴用圧縮楽音データＡ及び試聴用圧縮楽音データＢを生成する。
【００３９】
ステップＳ３１２及びステップＳ３１４では、編集サーバ１は、試聴用圧縮楽音データＡ及び試聴用圧縮データＢを、視聴者端末３Ａと視聴者端末３Ｂに送信する。高品質の編集済み楽音データを再び不可逆圧縮して試聴用圧縮楽音データを生成し視聴者端末３に送信することにより、編集サーバ１から複数の視聴者端末３に送信されるデータ量を低減することができる。
【００４０】
ステップＳ３１６及びステップＳ３１８では、視聴者は試聴用圧縮楽音データＡと試聴用圧縮楽音データＢとを聴き比べ、どちらが好みであるか投票する。具体的には例えば、視聴者端末３Ａ及び視聴者端末３Ｂは、視聴者が選択した楽音データの識別子を編集サーバ１に送信する。
【００４１】
ステップＳ３２０では、編集サーバ１は、投票結果を集計する。具体的には、ＣＰＵ１７は、複数の視聴者端末３から受信した識別子を用いて、識別子に対応する楽音データ毎にその楽音データを選択した視聴者数をカウントする。
【００４２】
上述の第一実施例から第三実施例では、時間属性を有する複数チャネルのデータを有するコンテンツデータとしてトラック毎のＰＣＭデータを有する楽音データを例に本発明を説明したが、本発明は遠隔動画編集にも適用できる。
【図面の簡単な説明】
【００４３】
【図１】本発明の実施例に係る模式図。
【図２】本発明の実施例に係るハードウェア構成図。
【図３】本発明の実施例に係るハードウェア構成図。
【図４】本発明の第一実施例に係るシーケンス図。
【図５】本発明の実施例に係る模式図。
【図６】本発明の第二実施例に係るシーケンス図。
【図７】本発明の第三実施例に係るシーケンス図。
【符号の説明】
【００４４】
１：編集サーバ、２：遠隔編集端末、３：視聴者端末、４：通信ネットワーク、５：遠隔編集システム、１０：ＨＤＤ、１２：外部ストレージインターフェース（入力手段、出力手段）、１７：ＣＰＵ（生成手段）、１８：通信部（入力手段、送信手段、出力手段）、２６：通信部（受信手段、送信手段）、３３：ＣＰＵ（設定手段）、１００：編集操作画面
【図１】
2006340130.tif 000003
【図２】
2006340130.tif 000004
【図３】
2006340130.tif 000005
【図４】
2006340130.tif 000006
【図５】
2006340130.tif 000007
【図６】
2006340130.tif 000008
【図７】
2006340130.tif 000009